(57)【要約】【課題】  害虫駆除やゴミ・汚物等除去に於いて、打撃・捕獲等をした目標物をゴミ箱に投棄すると云う最終処理の簡便な遂行性実現並びに細菌などの病原体に身体が接触することを予防し余分な手洗いをしなくても済む便益に寄与するとともに、当該目標物を直接的若しくは間接的に手で触れないといけないという心理的障壁を打破し、回避し、或いは乗り越えると云う画期的方策を提示する積層型粘着シート付きハエ叩きを得る。【解決手段】  手で保持するための取っ手１０とこの取っ手１０に連結する害虫や汚物等の目標物に力学的に作用する作用面２０と、この作用面２０に、強力な粘着剤等を介して接着若しくは物理的に一体化された積層剥離型粘着シート３０とを備えたことを特徴とする。【選択図】図２
0003165260.tif 000002
【実用新案登録請求の範囲】
【請求項１】
手で保持するための取っ手と、この取っ手に連結する害虫や汚物等の目標物に力学的に作用する作用面と、この作用面に強力な粘着剤等を介して接着若しくは物理的に一体化された積層剥離型粘着シートとを備えたことを特徴とする積層剥離型粘着シート付きハエ叩き。
【考案の詳細な説明】
【技術分野】
【０００１】  この考案は、ハエ、小バエ、ゴキブリ等の害虫駆除を行うハエ叩きに関する。
【背景技術】
【０００２】  従来の一般的なハエ叩きとしては、板状や網状の板がハエを叩く部分に付いたものがある。特許・実用新案の案件ではこれに関する発明・考案は特に具体的に見当たらなかった。
【考案の概要】
【考案が解決しようとする課題】
【０００３】  上記の様なハエ叩きは、害虫を打撃して失神若しくは殺生した後にゴミ箱に当該害虫本体を投棄するまでの間に、素手で或いはティッシュペーパーに包んで、或いは、レジ袋や箸、箒に塵取り、掃除機などを用いて移動する手間があるばかりか、当該害虫本体に直接又は間接的に接触するリスクを逃れづらい現実があった。つまり、捕獲した害虫を直接手を触れずにゴミ箱に投棄するうえでは特に簡便性に於いて画期的な方策に乏しく、一般的にゴミ箱に投棄するまでにより簡便なやり方だとより高い心理的障壁があり、それを避けようとするとかなり手間がかかると云う問題点があった。【０００４】  この考案は、上述のような問題点を解決するためになされたもので、持ち運びが手軽でしかも安価で入手可能な、ハエ、小バエ、ゴキブリ等の害虫駆除或いは汚物等廃棄における最終段階として当該害虫又は汚物等を捕獲してからゴミ箱に投棄するまでの過程で当該害虫又は汚物などに直接手を触れることなく実施可能で、細菌などの病原体に直接触れないので余分な手洗いをしなくて済む積層剥離型粘着シート付きハエ叩きを得ることを目的とする。
【課題を解決するための手段】
【０００５】  この考案の積層剥離型粘着シート付きハエ叩きは、手で保持するための取っ手と、この取っ手に連結する害虫や汚物等の目標物に力学的に作用する作用面と、この作用面に強力な粘着剤等を介して接着若しくは物理的に一体化された積層剥離型粘着シートとを備えたものである。
【考案の効果】
【０００６】  この考案の積層型粘着シート付きハエ叩きは一つの物体に少なくとも手で保持するための取っ手と、この取っ手に連結する害虫や汚物等の目標物に力学的に作用する作用面と、この作用面に強力な粘着剤等を介して接着若しくは物理的に一体化された積層剥離型粘着シートとを備えたことで、害虫駆除やゴミ・汚物等除去に於いて、打撃・捕獲等をした目標物をゴミ箱に投棄すると云う最終処理の簡便な遂行性実現及び細菌などの病原体に直接触れないので余分な手洗いをしなくで済むという便益に寄与するとともに、当該目標物を直接的若しくは間接的に手で触れないといけないという心理的障壁を打破し、回避し、或いは乗り越えると云う画期的方策を提示していると云う点で役立つ。
【図面の簡単な説明】
【０００７】
【図１】本考案の実施例である積層刹離型粘着シート付きハエ叩きを示す平面図である。
【図２】本考案の実施例である積層剥離型粘着シート付きハエ叩きを示す正面図である。
【図３】本考案の実施例である積層剥離型粘着シート付きハエ叩きを示す底面図である。
【考案を実施するための形態】
【実施例１】
【０００８】  図１は、この考案の一実施例である積層剥離型粘着シート付きハエ叩きを示す平面図である。図に於いて、１０は取っ手であり、基本的にヒトの手によって保持される部分であり長さが３０〜６０センチメートル程度の長軸体である。１５は孔であり、取っ手の端に備えられ、当該考案品を壁掛けフックなどに吊るせる構造になっている。２０は作用面であり、野球におけるバットやゴルフにおけるクラブのように取っ手に加えられたヒトの手による力がてこにおける作用点となってゴキブリやハエや小バエといった害虫もしくはゴミや汚物等の目標物に作用するという基本性能を有するというものである。【０００９】  図２は、本考案の実施例である積層剥離型粘着シート付きハエ叩きを示す正面図である。図３は、本考案の実施例である積層剥離型粘着シート付きハエ叩きを示す底面図である。図に於いて、１０は上述の取っ手である。２０は上述の作用面である。３０は積層剥離型粘着シートであり、従来のポストイット（商標登録）のような積層剥離型粘着テープ様の物体である。層数は１層から可能であるが現実的には３０〜１００層位が理想である。形状は、上記作用面２０の作用面とほぼ同じか、近い形状を有するのが好ましい。３５はつまみで粘着剤が塗布されていない部分であり、剥離する時に手でつまんで剥がしやすいようにしている。上記積層剥離型粘着シート３０の端を簡単にめくり、上記粘着シート３０を順番に使用、つまり、目標物を吸着しては当該層別に剥がして投棄しながら用を足す為に備えた、例えるならば牛乳瓶の蓋のポッチのような仕掛けである。付け加えるならば、上記作用面２０は板状ばかりでなく従来の網目状のものに備え、積層剥離型粘着シート３０も糸を編んだような網目状の積層剥離型のものに備えることも又選択肢の一つである。【００１０】  上述のように構成された積層剥離型粘着シート付きハエ叩きの使用方法を図１〜図３に基づき説明する。例として自室の部屋に出現したゴキブリを駆除する場面を想定する。先ず、使用者が積層剥離型粘着シート付きハエ叩きを殺虫剤と共に準備するところからすべては始まる。積層剥離型粘着シート付きハエ叩きの積層剥離型粘着シート３０の末端面の粘着度が十分あるかどうかを事前に確認してあればより望ましい。殺虫剤で当該ゴキブリを弱らせて動けなくしてから積層剥離型粘着シート付きハエ叩きを用いて捕獲して後、ゴミ箱に投棄するのが基本的な使い方の概要であるが、いきなり積層剥離型粘着シート付きハエ叩きで当該ゴキブリを捕獲しようとすることもまた可能ではある。さて、基本的な使い方を詳細に説明すると、殺虫剤で弱らせて動けなくしたゴキブリを目で補足したら、積層剥離型粘着シート付きハエ叩きの出番である。取っ手１０を利き手で保持し、作用面２０に取り付けられた積層剥離型粘着シート３０側の粘着剤塗布面を当該ゴキブリに接触させる。以上で捕獲終了である。続いてゴミ箱に投棄するのであるが、当該ゴキブリが粘着シート３０に吸着しているのを確認したらゴミ箱の位置まで移動し、粘着シート３０の一部を構成するつまみ３５を空いている方の手か若しくは利き手に持ち替えてつまみ、当該ゴキブリが付着した粘着シートの最端面をハエ叩き本体の他の積層部から引き剥がしてゴミ箱に投棄する。使用済みの積層剥離型粘着シート付きハエ叩きを所定の保管場所のフックに吊るし、殺虫剤も所定の保管場所に移動する。以上でゴギブリ駆除行程完了である。
【符号の説明】１０    取っ手
１５    孔
２０    作用面
３０    積層剥離型粘着シート
３５    つまみ
【図１】
0003165260.tif 000003
【図２】
0003165260.tif 000004
【図３】
0003165260.tif 000005